(57)【要約】【課題】調湿機能を有する基材への通気が阻害されず、室内の湿度に応じて吸湿、放湿の調湿性能を効果的にコントロールできる室内構造を提供する。【解決手段】調湿機能を有する基材１が壁面２０に配設されており、この基材１表面に対向して配置される化粧板２が、壁面２０に固定される支持具４を介して前記基材１表面から離間して支持されている室内構造であって、前記支持具４は、伸縮部７を有する化粧板２の取付部６を備えており、伸縮部７は、吸湿したときに体積が膨張し放湿したときに収縮する樹脂で構成され、室内の湿度に応じて伸縮するものであり、この伸縮部７の伸縮により化粧板２の基材１表面からの離間距離が変動する。【選択図】図１
2010255259.tif 000002
【特許請求の範囲】
【請求項１】
調湿機能を有する基材が壁面に配設されており、この基材表面に対向して配置される化粧板が、壁面に固定される支持具を介して前記基材表面から離間して支持されている室内構造であって、
前記支持具は、伸縮部を有する化粧板の取付部を備えており、伸縮部は、吸湿したときに体積が膨張し放湿したときに収縮する樹脂で構成され、室内の湿度に応じて伸縮するものであり、この伸縮部の伸縮により化粧板の基材表面からの離間距離が変動することを特徴とする室内構造。
【請求項２】
化粧板は、支持具の取付部と着脱自在に係合する係止部を備えていることを特徴とする請求項１に記載の室内構造。
【請求項３】
支持具は、内部に基材を固定する枠体を備えていることを特徴とする請求項１または２に記載の室内構造。
【請求項４】
化粧板の裏面に通気性部材を設けたことを特徴とする請求項１から３のいずれか一項に記載の室内構造。
【発明の詳細な説明】
【技術分野】
【０００１】
本発明は、室内構造に関する。さらに詳しくは、調湿機能を有する基材が室内に配設されて室内の湿度を調節する室内構造に関するものである。
【背景技術】
【０００２】
近年の建物は気密性が高く、室内の湿度が高くなりやすいため、室内の湿度調整が課題としてある。この問題を解決するために、ゼオライト、ベントナイト、白土、珪藻土等の調湿機能を有する基材を用いることが知られている（例えば、特許文献１参照）。調湿機能を有する基材は、室内の湿度が高いときには水分を吸着し、湿度が低いときには室内に水分を放出するため、室内湿度を快適に保つことができる。図７に示すように、このような調湿機能を有する基材１（以下、基材１と略称する。）は、従来、壁面２０に接着剤や両面テープ等により固定され、その表面には透湿性を有する突板１６が接着剤により貼着されていたり、意匠性を高めるために基材表面に直接塗装が施されていた。
【特許文献１】特開２００４−１００１９５号公報
【発明の概要】
【発明が解決しようとする課題】
【０００３】
しかしながら、突板１６を用いた場合には基材１と突板１６との間に形成された接着剤の接着層１５により、基材表面に塗装を施した場合にはその塗膜により、通気が阻害され、基材１への単位時間当たりの水分移動量が低減して吸湿性能が低下したり、基材１からの水分の放出量が低減して放湿性能が低下してしまうことがあった。また、吸放湿速度が速い基材１は水分の放出速度も速いため、居住空間が高湿度から低湿度へ移行するときに快適湿度を維持できないことがあった。
【０００４】
本発明は以上の通りの事情に鑑みてなされたものであり、調湿機能を有する基材への通気が阻害されず、室内の湿度に応じて吸湿、放湿の調湿性能を効果的にコントロールできる室内構造を提供することを課題としている。
【課題を解決するための手段】
【０００５】
本発明は以下のことを特徴としている。
【０００６】
第１には、調湿機能を有する基材が壁面に配設されており、この基材表面に対向して配置される化粧板が、壁面に固定される支持具を介して前記基材表面から離間して支持されている室内構造であって、前記支持具は、伸縮部を有する化粧板の取付部を備えており、伸縮部は、吸湿したときに体積が膨張し放湿したときに収縮する樹脂で構成され、室内の湿度に応じて伸縮するものであり、この伸縮部の伸縮により化粧板の基材表面からの離間距離が変動することを特徴とする。
【０００７】
第２には、上記第１の室内構造において、化粧板は、支持具の取付部と着脱自在に係合する係止部を備えていることを特徴とする。
【０００８】
第３には、上記第１または第２の室内構造において、支持具は、内部に基材を固定する枠体を備えていることを特徴とする。
【０００９】
第４には、第１から第３のいずれかの室内構造において、化粧板の裏面に通気性部材を設けたことを特徴とする。
【発明の効果】
【００１０】
第１の発明によれば、化粧板が壁面に固定される支持具を介して調湿機能を有する基材表面から離間して支持されているので、前記基材への通気が阻害されず、基材の本来の調湿機能を低下させることがない。また、支持具に設けられた取付部の伸縮部の伸縮により化粧板の基材表面からの離間距離が変動し、前記基材表面への空気の流路の開度が変動するため、吸湿、放湿の調湿性能を効果的にコントロールすることができる。
【００１１】
第２の発明によれば、化粧板が支持具の取付部と着脱自在に係合するため、化粧板の取り付け、取り外し作業が容易であり、掃除等のメンテナンス性が向上する。
【００１２】
第３の発明によれば、接着剤等を用いなくても基材を容易に壁面に固定することができる。
【００１３】
第４の発明によれば、基材と化粧板との間に埃、塵等のゴミが侵入するのを防止することができるため、長期にわたって良好な調湿性能を維持することができる。
【図面の簡単な説明】
【００１４】
【図１】本発明の室内構造の実施形態についての縦断面図である。
【図２】本発明の室内構造の実施形態についての横断面図である。
【図３】図１および図２の実施形態の支持具の斜視図である。
【図４】本発明の室内構造の別の実施形態についての縦断面図である。
【図５】図１および図２の実施形態の化粧板の斜視図である。
【図６】本発明の室内構造の別の実施形態についての縦断面図である。
【図７】従来の室内構造の縦断面図である。
【発明を実施するための形態】
【００１５】
本発明の一実施形態について以下に図面を参照しつつ詳細に説明する。
【００１６】
図１は、本発明の室内構造の実施形態についての縦断面図であり、図２は本発明の室内構造の実施形態についての横断面図であり、図３は支持具の斜視図である。
【００１７】
本実施形態の室内構造は、図１や図２に示すように、調湿機能を有する基材１（以下、基材１と略称する。）が室内側の壁面２０に配設されており、この基材１表面に対向して配置される化粧板２が、壁面２０に固定される支持具４を介して前記基材１表面から離間して支持されている。
【００１８】
ここで、調湿機能を有する基材１は、ゼオライト、ベントナイト、白土、アロフェン、珪藻土等の粘度鉱物が添加された石膏ボード、スラグ石膏板、ＡＬＣ等や、前記粘度鉱物の焼成板等を挙げることができ、化粧板２は、突板、または表面に木目や色などを印刷した化粧紙や化粧樹脂シートを貼った合板等を挙げることができる。
【００１９】
化粧板２は、壁面２０に配設される基材１と例えば３ｍｍ〜３０ｍｍ程度の一定間隔を設けて床面に対して垂直もしくは略垂直に支持具４によって支持されている。そして後述する支持具４の枠体前面９１と化粧板２との間の隙間Ａを通じて室内の空気が基材１と化粧板２との間の空間Ｂに流通可能になり、また基材１の表面側の空気が室内に流通可能になっている。
【００２０】
支持具４は、壁面２０に取り付け固定される固定部５と、この固定部５に接続され、化粧板２を支持する取付部６を備えている。本実施形態では、図３に示すように、固定部５は、前記基材１の上下、左右の端面を覆うように基材１よりもやや大きく形成された四角の枠体９とその枠体９の前記壁面２０側周縁に板状の座部１０が形成されており、枠体９内部には前記基材１が保持、固定され、座部１０にはネジや釘等の固着具がねじ込まれもしくは打込まれて支持具４が前記壁面２０に固定されている。また、枠体９には、基材１が抜け落ちないように、枠体９の上下、左右の四辺の構成部材から内側に突出する突起片１１が枠体９の周方向に設けられている。
【００２１】
取付部６は、壁面２０から室内側方向に伸縮する伸縮部７と、この伸縮部７の一端に連結する化粧板受け部８で形成されており、伸縮部７の他端は枠体９四隅近傍の固定部５の座部１０に固定されている。伸縮部７は、吸湿したときに体積が膨張し放湿したときに収縮する樹脂、具体的には、アクリル酸ナトリウムを主成分とする共重合ポリマー、例えばカルボン酸樹脂等で構成されるものであり、膨張時の体積が収縮時に比べて２〜５倍程度になるものが好適に用いられる。
【００２２】
伸縮部７は、その他端が固定部５の座部１０に固定されているため、居住空間の湿度が高いときには室内の空気中の水分を吸湿して樹脂の体積が膨張し、壁面２０から室内側に向かって伸び、居住空間の湿度が低いときには放湿して樹脂が収縮し、壁面２０側に向かって縮む。
【００２３】
本実施形態では、このように取付部６の伸縮部７が居住空間の湿度に応じて壁面２０から室内側方向に伸縮するため、取付部６に取り付けられる化粧板２も、湿度変化による取付部６の伸縮部７の伸縮に連動して基材１表面からの離間距離が変動することになる。そして、取付部６の伸縮部７が吸湿により伸びたときは、化粧板２は、基材１表面から離れて枠体前面９１と化粧板２の間の隙間Ａが大きくなり、この結果、基材１表面側の空気が居住空間に流通し易くなる。取付部６の伸縮部７が放湿して収縮したときは、化粧板２は、基材１表面に近づき、枠体前面９１と化粧板２との間の隙間Ａが小さくなり、この結果、基材１表面側の空気の居住空間への流通が妨げられる方向に作用する。枠体前面９１と化粧板２との間の隙間Ａが大きい状態で化粧板２が支持具４に固定されている場合、吸放湿速度の速い基材１を用いた際、居住空間が高湿度の時に湿度が少しでも下がり始めるとすぐに基材１に吸湿された水分が放湿されて居住空間の湿度が過度に高くなってしまう場合があった。本実施形態では、居住空間が高湿度になったときは、枠体前面９１と化粧板２との間の隙間Ａが大きくなり、空気の流路の開度が大きくなって基材１の吸湿量が多くなる。そして高湿度から低湿度に移行するときには、枠体前面９１と化粧板２との間の隙間が小さくなり、空気の流路の開度が小さくなって基材１からの水分の放出量が抑制される。これにより居住空間が高湿度のときには湿度上昇を抑え、低湿度のときには急激な水分放出を抑制して過度な湿度の上昇を抑えることができ、居住空間を最適湿度に保つことができる。
【００２４】
化粧板２の裏面には、支持具４の取付部６に対応する位置に、取付部６の化粧板受け部８と係合する係止部３が設けられている。係止部３は、例えば、図１〜図２に示すように、端部３１が球状になっており、これと係合する取付部６の化粧板受け部８は、開口８１を有する中空体であり、係止部３の球状の端部３１が化粧板受け部８の開口８１を通して球状の中空部分に着脱自在に嵌め込み可能になっている。化粧板２の係止部３が取付部６の化粧板受け部８に嵌め込まれると、化粧板２が支持具４に支持、固定されるようになっている。このように本実施形態では、化粧板２の係止部３と取付部６の化粧板受け部８とが着脱自在であるため、化粧板２の取り付け、取り外し作業が容易であり、掃除等のメンテナンス性が向上する。また、基材１を壁面２０に固定した後であっても、化粧板２の柄を自由に選択して容易に取り替えることができるという利点もある。
【００２５】
化粧板２の係止部３と取付部６の化粧板受け部８との係合は、図１〜図２に示された形状に限定されるものではない。例えば、図４に示すように、係止部３の端部３１に断面三角形状の係合爪３２を鋸歯形状に連続的に形成し、この形状に対応する係合溝８２を化粧板受け部８に設けてもよい。この実施形態では、化粧板２の係止部３が取付部６の化粧板受け部８に着脱自在に係合するだけでなく、壁面２０から室内側方向に化粧板２がスライド可能であり、枠体前面９１と化粧板２との間の隙間Ａを調整でき、空気の流路の開度を幅広く調整することができる。
【００２６】
また、本実施形態では、化粧板２の裏面に、不織布やスポンジ等の通気性の高い通気性部材１２を設けている。通気性部材１２は、図５に示すように、化粧板２の裏面に所定の厚みをもって枠状に配設されており、図１〜図２に示すように、化粧板２が支持具４の取付部６に取り付けられた状態において枠状の通気性部材１２が固定部５の枠体９の内側に嵌め込まれており、基材１と化粧板２との間の空間Ｂに埃、塵等のゴミが侵入することを防止している。したがって、本実施形態では、長期にわたって基材１表面へのゴミの付着等を防止でき、良好な調湿性能を維持することができる。
【００２７】
図１〜図２に示す実施形態では支持具４の枠体９の内部に基材１を固定しているが、この枠体９による固定と合わせて、図６に示すように、壁面２０を構成する壁材２１と基材１の上下に貫通孔１３を設け、この貫通孔１３にビス１４を通して基材１を壁面２０に固定してもよい。この実施形態では、基材１をビス１４によって機械的に固定しているので、基材１固定の信頼性が高く、調湿性能をより効果的に発揮することができる。また、図１〜図２に示す実施形態では、支持具４の取付部６を枠体９四隅近傍の固定部５の座部１０に固定しているが、その固定箇所は特に限定されるものではない。例えば、枠体の両側側面の上下４箇所近傍の固定部の座部に固定してもよく、施工状況に応じて固定箇所を適宜選択すればよい。
【符号の説明】
【００２８】
１  調湿機能を有する基材
２  化粧板
３  係止部
４  支持具
５  固定部
６  取付部
７  伸縮部
８  化粧板受け部
９  枠体
１２  通気性部材
２０  壁面
【図１】
2010255259.tif 000003
【図２】
2010255259.tif 000004
【図３】
2010255259.tif 000005
【図４】
2010255259.tif 000006
【図５】
2010255259.tif 000007
【図６】
2010255259.tif 000008
【図７】
2010255259.tif 000009